(57)【要約】      （修正有）【課題】擬似燃焼の点灯時間を任意に制御して不要な電源の消費を解消でき、盤体から擬似線香や擬似ろうそくを分離できる携帯用擬似焼香具を提供する。【解決手段】盤体１と、盤体の上面に立設する擬似線香３又は擬似ろうそく２と、或は疑似線香及び疑似ろうそくと、盤体１の内部に収納される電源と、電源を発光源に電気的に接続するスイッチ機構とからなる携帯用擬似焼香具に、盤体の外表面にタイマーに連通する通電スイッチを設ける。盤体の上面に各個のプラグ差し込み口を設け、各プラグ差し込み口に接続する電気回路に連通するタイマーと、タイマーに連通する通電スイッチとを設け、さらに、擬似線香又は／及び擬似ろうそくが、線香の擬体１２、炎の擬体１０などの各擬体と、各擬体を嵌着接合する挿入孔を開口し、内部に発光源のＬＥＤを収納し、下端にＬＥＤに電気的に接続するプラグ２１を垂下した胴体５とから成る。【選択図】図４
2004313715.tif 000002
【特許請求の範囲】
【請求項１】
所要形状の盤体と、該盤体の上面に立設する擬似線香又は／及び擬似ろうそくと、盤体の内部に収納される電源と、該電源を発光源に電気的に接続するスイッチ機構とから成る携帯用擬似焼香具において、
前記盤体の外表面にタイマーに連通する通電スイッチを設け、制御時間内で発光源を点灯して成る携帯用擬似焼香具。
【請求項２】
所要形状の盤体と、該盤体の上面に立設する擬似線香又は／及び擬似ろうそくと、盤体の内部に収納される電源と、該電源を発光源に電気的に接続するスイッチ機構とから成る携帯用擬似焼香具において、
前記盤体の上面に複数個のプラグ差し込み口を配設するとともに、各プラグ差し込み口に接続する電気回路に連通するタイマーと、該タイマーに連通する通電スイッチとを配設し、
擬似線香又は／及び擬似ろうそくが、各擬体と、各擬体を嵌着接合する挿入孔を上端に開口するとともに、開口端に対面して内部に発光源のＬＥＤを収納し、下端には該ＬＥＤに電気的に接続するプラグを垂下した胴体とから成る携帯用擬似焼香具。
【請求項３】
前記タイマーが擬似線香又は／及び擬似ろうそくの各個に電気的に連通対応する複数個のタイマーから成り、通電スイッチが各個のタイマーに電気的に連通対応する複数個の通電スイッチから成る請求項１又は２記載の携帯用擬似焼香具。
【発明の詳細な説明】
【０００１】
【発明の属する技術分野】
本発明は、擬似燃焼の線香やろうそくを備えた仏具の分野に属し、主として屋外の墓前で用いられる携帯用擬似焼香具に関する。
【０００２】
【従来の技術】
従来から擬似燃焼の線香やろうそくを備えた仏具は種々提案されているが、点灯時の時間が制御されていないため、消灯を忘れたり、保管時での不注意による点灯によって、電源が消耗される問題があった。また、所要形状の盤体の上面に立設される擬似線香や疑似ろうそくは、該盤体と一体であるため、装飾的な自由度が狭い上、製造上で量産化し難い点と全体が嵩張る点などで難点があった。
【０００３】
【発明が解決しようとする課題】
上記実情に鑑みて、擬似燃焼の点灯時間を任意に制御して不要な電源の消費を解消すること、又、電源やスイッチ機構を内蔵する盤体から擬似線香や擬似ろうそくを分離し、各個に量産できる態勢として製造コストを削減するとともに、市販時の包装形態や携帯時の形体をコンパクト化できること、および、盤体上への擬似線香や擬似ろうそくの配置が自在で装飾的な自由度が大であること、のそれぞれの要件を満たした携帯用擬似焼香具を提供するものである。
【０００４】
【課題を解決するための手段】
すなわち、請求項１に記載の携帯用擬似焼香具は、所要形状の盤体と、該盤体の上面に立設する擬似線香又は／及び擬似ろうそくと、盤体の内部に収納される電源と、該電源を発光源に電気的に接続するスイッチ機構とから成る携帯用擬似焼香具において、
前記盤体の外表面にタイマーに連通する通電スイッチを設け、制御時間内で発光源を点灯して成る。
また、請求項２に記載の携帯用擬似焼香具は、所要形状の盤体と、該盤体の上面に立設する擬似線香又は／及び擬似ろうそくと、盤体の内部に収納される電源と、該電源を発光源に電気的に接続するスイッチ機構とから成る携帯用擬似焼香具において、
前記盤体の上面に複数個のプラグ差し込み口を配設するとともに、各プラグ差し込み口に接続する電気回路に連通するタイマーと、該タイマーに連通する通電スイッチとを配設し、
擬似線香又は／及び擬似ろうそくが、各擬体と、各擬体を嵌着接合する挿入孔を上端に開口するとともに、開口端に対面して内部に発光源のＬＥＤを収納し、下端には該ＬＥＤに電気的に接続するプラグを垂下した胴体とから成る。
また、請求項３に記載の携帯用擬似焼香具は、請求項１又は２に記載の携帯用擬似焼香具において、
前記タイマーが擬似線香又は／及び擬似ろうそくの各個に電気的に連通対応する複数個のタイマーから成り、通電スイッチが独立して各個のタイマーに電気的に連通対応する複数個の通電スイッチから成る。
【０００５】
【発明の実施の形態】
発光源となるＬＥＤ（発光ダイオード）は、盤体に内蔵するものや、該盤体に着脱自在に接合される胴体に内蔵されるもの、或は胴体に接合される擬体に内蔵されるものもあり、また、点灯時間を制御するタイマーは、発光源を一括して制御するものから各発光源毎に制御してきめ細かな演出のできるものまで提供され、しかも、その制御時間は一定時間のものから可変のものまで選択される。
【０００６】
【実施例】
本発明を実施例により説明すると、図１に示した携帯用擬似焼香具Ａは、先に出願（特願平１１−３４６６５）の先行技術に関連するもので、高さ方向の下方向に膨径部を設けた円筒状の盤体１の上面には、その中央に擬似ろうそく２を配設し、その右側方には擬似線香３を添設し、前記盤体１の内部には電源２２（後述する）と該電源２２に電気的に接続するスイッチ機構（図外）が収納され、盤体１の上面左側方に設けられたスイッチレバー４によって、該スイッチ機構のスイッチが開閉され、擬似ろうそく２と擬似線香３の各小円筒状の胴体５の内部に収められた発光源である各ＬＥＤ（赤色が選択される）６を点灯、消灯するものであるが、このとき、盤体１の上面に設けた可変ツマミ７によって各ＬＥＤ６は一括して通電時の時間が内蔵されたタイマー８で制御され、スイッチレバー４の切り忘れのときでも、所要制御時間で消灯され、電源の消費が節約されるのである。なお、可変ツマミ７を介することなく、スイッチレバー４による点灯操作によって、内蔵されるタイマー８を介して各ＬＥＤ６を一括してその点灯時間を一定に制御できることは勿論である。
【０００７】
次に、図２に示した携帯用擬似焼香具Ｂについて説明すると、分図（ｂ）に示すように平面視横長長円形で、偏平状の盤体１の上面には、その左右側端方向に背の高い円筒状の胴体５が立設され、その上端にはそれぞれ花の擬体９と炎のように発色する炎の擬体１０が嵌着され、中央部には背の低い小円筒状の胴体５が立設され、さらに可変ツマミ７と押しボタンスイッチ１１が設けられ、前記小円筒状の胴体５には先端部のみ赤く発色する線香の擬体１２が挿し込まれ、盤体１の内部には電源とスイッチ機構（図外）が収納され、前記花の擬体９の中心には七色に変色するＬＥＤ１３が嵌着され、中央部の小円筒状の胴体５及び右方の円筒状の胴体５には、発光源としてそれぞれ赤色のＬＥＤ６が収納され、可変ツマミ７で時間設定されるタイマー８及び押しボタンスイッチ１１を介して電源に電気的に接続されるのである。したがって、押しボタンスイッチ１１を押して点灯すると、各ＬＥＤ６、１３には一括して可変ツマミ７で設定された時間だけ通電され、タイムアップになると各ＬＥＤ６、１３は消灯されるのであり、消し忘れなどによる電源の無駄使いが解消されることとなる。
【０００８】
次に、図３に示した携帯用擬似焼香具Ｃについて説明すると、分図（ａ）に示すように平面視矩形で偏平状の盤体１の上面には、左右に２個のプラグ差し込み口１４を配設するとともに、通電スイッチとしての押しボタンスイッチ１１を設け、背面側の周面中央には上端にクリップ１５を接合したフレキシブルスタンド１６を蝶ボルト１７で接合し、下面には下蓋１８の止めネジを兼ねた脚１９を垂下し、内部には電源２２と該電源２２に電気的に接続するスイッチ機構（図外）が収納される。
一方、擬似線香３は分図（ｂ）に示すように、線香の擬体１２と、該擬体１２を嵌着接合する挿入孔２０を上端に開口するとともに、開口端に対面して発光源としての赤色のＬＥＤ６を収納し、下端には該ＬＥＤ６に電気的に接続するプラグ２１を垂下し、外形が小円筒部と膨径八角胴部とを一体にして形成された胴体５とから成り、さらに、擬似ろうそく２は分図（Ｃ）に示すように、炎の擬体１０と、該擬体１０を嵌着接合する挿入孔２０を上端に開口するとともに、開口端に対面して内部に発光源としての赤色のＬＥＤ６を収納し、下端には該ＬＥＤ６に電気的に接続するプラグ２１を垂下し、外形が僅かに逆円錐台状に形成された胴体５とから成る。
したがって、市販提供するときや携帯時には、盤体１と擬似線香３や擬似ろうそく２が各個に分離状態で嵩張ることなくコンパクトな状態で一括して持ち運びされ、使用時には図４に示すように、各プラグ差し込み口１４に擬似線香３及び擬似ろうそく２の各プラグ２１が差し込まれ、フレキシブルスタンド１６のクリップ１５には遺影額（図外）などが留められて墓前に据えられる。この状態で押しボタンスイッチ１１を押すと、スイッチ機構の作動で図６（ａ）に示す電気回路に基づき、両発光源としての各ＬＥＤ６が一括してタイマー８によって、その点灯時間が制御され、消し忘れなどによる電源２２の不要な消費が解消されるのである。
【０００９】
さらに、図５に示す携帯用擬似焼香具Ｄについて説明すると、このものは前記の携帯用擬似焼香具Ｃにおいて、擬似線香３及び擬似ろうそく２の各個に通電スイッチとしての押しボタンスイッチ１１を盤体１の上面に設けるとともに、各押しボタンスイッチ１１による通電時間を制御する可変ツマミ７をそれぞれ各個に設けたものである。
したがって、墓前での使用時には擬似線香３及び擬似ろうそく２の点灯時間を個別に可変ツマミ７で設定できるものである。その結果、図６（ｂ）に示すように、各押しボタンスイッチ１１を押せば、各可変ツマミ７のタイマー８に対する通電時間の設定に応じて擬似線香３や擬似ろうそく２がそれぞれに点灯し、各押しボタンスイッチ１１による消灯操作なしに各個にタイムアップするのである。このように、擬似線香３や擬似ろうそく２の点灯時間を各個に制御できるから、演出の幅が広がるとともに、電源２２の無駄使いが解消されることとなる。
なお、両携帯用擬似焼香具Ｃ、Ｄにおいても、携帯用擬似焼香具Ｂで示した花の擬体９を添設できるものであり、このほか、各携帯用擬似焼香具Ａ乃至Ｄが盤体１の外周面にメインスイッチ２３を設け、携帯中や保管中に押しボタンスイッチ１１が不用意に押された場合でも、即座にはＬＥＤが点灯しないように考慮されて提供されることもある。さらに、使用上では墓前に限定されるものでもなく、仏壇やその他焼香に供される場で使用できることは勿論である。
【００１０】
【発明の効果】
以上のように本発明によれば、先ず請求項１に記載の携帯用擬似焼香具では、スイッチレバー４の点灯操作によって、擬似ろうそく２と擬似線香３がタイマー８を介してその点灯時間が制御されるから消し忘れによる電源の消費が解消され、電源を長持ちさせることができる。
また、請求項２に記載の携帯用擬似焼香具によれば、擬似ろうそくや擬似線香が盤体に対して着脱自在であるから、市販時の包装形態や携帯時の持ち運びが嵩張らずコンパクトであるから利便性に優れ、その上、配置換えが自在で装飾的な自由度が大であり、しかも、電源の不要な消費を解消してその長命化を達成できることは勿論のこと、擬似ろうそくと擬似線香の製造組立てが各個に独立して行われる上、盤体そのものも独立して製造組立てが行われるので、製造コストの削減が達成され、より安価に提供できる効果がある。
さらに、請求項３に記載の携帯用擬似焼香具では、前述の効果に加えて、擬似ろうそくと擬似線香を各個に点灯かつ消灯制御できるから、墓前での所作がいかにも実際の焼香に近いものとなるなどの演出効果を呈する、
【図面の簡単な説明】
【図１】本発明に係わる携帯用擬似焼香具Ａの正面図である。
【図２】本発明に係わる携帯用擬似焼香具Ｂの説明図で、（ａ）はその正面図であり、（ｂ）はその花の擬体９、線香の擬体１２及び炎の擬体１０を取り外した状態の平面図である。
【図３】本発明に係わる携帯用擬似焼香具Ｃの分離状態の説明図で、（ａ）はその盤体１の平面図であり、（ｂ）は擬似線香３の正面図であり、（ｃ）は擬似ろうそく２の正面図である。
【図４】同上携帯用擬似焼香具Ｃの組立て状態の正面図である。
【図５】本発明に係わる携帯用擬似焼香具Ｄの組立て状態の正面図である。
【図６】模式的に表わした電気回路の説明図であり、（ａ）は各ＬＥＤ６の一括点灯制御の電気回路図であり、（ｂ）は各ＬＥＤ６の個別点灯制御の電気回路図である。
【符号の説明】
１  盤体
２  擬似ろうそく
３  擬似線香
４  スイッチレバー
５  胴体
６  ＬＥＤ
７  可変ツマミ
８  タイマー
９  花の擬体
１０  炎の擬体
１１  押しボタンスイッチ
１２  線香の擬体
１３  ＬＥＤ
１４  プラグ差し込み口
１５  クリップ
１６  フレキシブルスタンド
１７  蝶ボルト
１８  下蓋
１９  脚
２０  挿入孔
２１  プラグ
２２  電源
２３  メインスイッチ
Ａ乃至Ｄ  携帯用擬似焼香具
【図１】
2004313715.tif 000003
【図２】
2004313715.tif 000004
【図３】
2004313715.tif 000005
【図４】
2004313715.tif 000006
【図５】
2004313715.tif 000007
【図６】
2004313715.tif 000008